(57)【要約】【課題】  回路基板に実装された電子部品の規格等の表示の確認を容易にしつつ、該電子部品にヒートシンクを装着し得る、新規な構造の遊技機用の基板収納ケースを提供すること。【解決手段】  ヒートシンク４０をケース蓋体１４に固定し、該ケース蓋体１４をケース本体１２に対して閉じた状態で該ヒートシンク４０が電子部品２６に重ね合わされるようにすると共に、該ケース蓋体１４を該ケース本体１２に対して開いた状態で該ヒートシンク４０が該電子部品２６から離されて該電子部品２６の表面３０が露呈されるようにした。【選択図】  図２
2006181106.tif 000002
【特許請求の範囲】
【請求項１】
電子部品が実装された回路基板を収納して、該回路基板を遊技機に装着せしめる遊技機用の基板収納ケースであって、
前記基板収納ケースを前記回路基板が固定されるケース本体と該ケース本体に対して開閉可能なケース蓋体から構成して、前記電子部品に重ね合わされて該電子部品に発生する熱を放熱せしめるヒートシンクを該ケース蓋体に固定し、該ケース蓋体を該ケース本体に対して閉じた状態で該ヒートシンクが該回路基板の該電子部品に重ね合わされるようにすると共に、該ケース蓋体を該ケース本体に対して開いた状態で該ヒートシンクが該電子部品から離されて該電子部品の表面が露呈されるようにしたことを特徴とする遊技機用の基板収納ケース。
【請求項２】
前記ケース蓋体に貫通窓を形成して、該貫通窓を通じて前記ヒートシンクをケース外部空間に晒した請求項１に記載の遊技機用の基板収納ケース。
【請求項３】
前記ヒートシンクが前記貫通窓を通じて前記ケース蓋体からケース外部空間に突出している請求項２に記載の基板収納ケース。
【請求項４】
前記ヒートシンクに、前記電子部品に対する重ね合わせ方向に貫通する確認窓部を形成すると共に、前記ケース蓋体の内部を外部から視認可能とする透視窓を該ケース蓋体における該ヒートシンクの取付部位に設けて、該ヒートシンクの該電子部品に対する重ね合わせ状態において、該確認窓部及び該透視窓を通じて、該電子部品の表面の少なくとも一部がケース外部から確認可能とされている請求項１乃至３の何れかに記載の遊技機用の基板収納ケース。
【請求項５】
前記ケース蓋体の少なくとも一部に金属材で形成された熱伝導部を設けて、該熱伝導部に対して前記ヒートシンクを接触せしめた請求項１乃至４の何れかに記載の遊技機用の基板収納ケース。
【請求項６】
前記ケース蓋体に対する前記ヒートシンクの取付位置を、前記電子部品に対する該ヒートシンクの重ね合わせ方向で調節可能とする取付位置調節手段を設けた請求項１乃至５の何れかに記載の遊技機用の基板収納ケース。
【請求項７】
前記ケース本体に対する前記ケース蓋体の組付位置を、前記電子部品に対する前記ヒートシンクの重ね合わせ方向で調節可能とする組付位置調節手段を設けた請求項１乃至６の何れかに記載の遊技機用の基板収納ケース。
【請求項８】
前記ヒートシンクが、前記電子部品に対して略垂直に立ち上がる複数のフィンを備えていると共に、該フィンには、該フィンの側面に開口する連通孔が貫通して形成されている請求項１乃至７の何れかに記載の遊技機の基板収納ケース。
【発明の詳細な説明】
【技術分野】
【０００１】
本発明は、パチンコ機やスロットゲーム機等の遊技機における基板収納ケースに係り、特に内部に収納された回路基板の電子部品における放熱機構を備えた新規な構造の基板収納ケースに関するものである。
【背景技術】
【０００２】
従来から、パチンコ機やスロットゲーム機等の遊技機には、遊技動作を制御する処理装置等各種の電子部品が備えられている。これらの電子部品は、一般に、回路基板に実装されており、かかる回路基板が遊技機に取り付けられる基板収納ケースに収納されることによって、遊技機に取り付けられるようになっている。
【０００３】
ところで、処理装置等の電子部品は、通電時における発熱によってかなりの高温状態となるが、かかる処理装置の発熱によって、処理装置自身の誤動作のおそれや、処理装置およびその周囲に配設された部品の劣化を招くおそれもある。
【０００４】
特に近年では、遊技の興趣を高めるために、液晶画面を使用した多様な演出表示を行なう遊技機が提案され、実用化されていると共に、このような遊技機における液晶画面は大型化、高精細化が進み、演出表示についても多様化、複雑化が進んでいる。このような遊技機においては、従来から用いられてきた遊技機用のＶＤＰ（ビデオ・ディスプレイ・プロセッサ。画像処理用のＬＳＩ。）に代えて、より優れた表示性能を有するパーソナルコンピュータ用のＶＤＰを用いることが検討されている。しかし、そのような優れた性能を有するＶＤＰは、動作クロックも高く、発生する熱量もより大きなものとなることから、ＶＤＰの発熱がより大きな問題となる。
【０００５】
このような問題に対処するために、一般には、特許文献１に示されている如きファンや、特許文献２に示されている如き水冷機構を設けることによって、処理装置の発熱を低減することが考えられる。しかしファンは耐久性や信頼性の面で問題がある一方、水冷機構は構造が複雑になると共に、水漏れによる不具合のおそれもあることから、遊技機に採用することは困難であった。
【０００６】
そこで、特許文献３に示されている如きヒートシンクを、回路基板に実装された電子部品の外表面に重ね合わせて取り付けることが考えられる。ところが、遊技機における電子部品は、部品の取り換え等の不正行為を防止するために、電子部品の外表面に設けられた規格等の表示が視認可能とされる必要のあることが多く、このようなヒートシンクを取り付けてしまうと、かかる表示を確認することが困難になってしまうという問題を内在しており、未だ十分な解決策ではなかったのである。
【０００７】
【特許文献１】特開２００４−８８０１４号公報
【特許文献２】特開２００４−２９６７４８号公報
【特許文献３】特開昭６１−１２０４５３号公報
【発明の開示】
【発明が解決しようとする課題】
【０００８】
ここにおいて、本発明は上述の如き事情を背景として為されたものであって、その解決課題とするところは、回路基板に実装された電子部品の規格等の表示の確認を容易にしつつ、該電子部品にヒートシンクを装着し得る、新規な構造の遊技機用の基板収納ケースを提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１０】
（本発明の態様１）
すなわち、本発明の態様１は、電子部品が実装された回路基板を収納して、該回路基板を遊技機に装着せしめる遊技機用の基板収納ケースであって、前記基板収納ケースを前記回路基板が固定されるケース本体と該ケース本体に対して開閉可能なケース蓋体から構成して、前記電子部品に重ね合わされて該電子部品に発生する熱を放熱せしめるヒートシンクを該ケース蓋体に固定し、該ケース蓋体を該ケース本体に対して閉じた状態で該ヒートシンクが該回路基板の該電子部品に重ね合わされるようにすると共に、該ケース蓋体を該ケース本体に対して開いた状態で該ヒートシンクが該電子部品から離されて該電子部品の表面が露呈されるようにしたことを、特徴とする。
【００１１】
本態様に従う構造とされた遊技機用の基板収納ケースにおいては、ケース蓋体を開いた際には、電子部品に重ね合わされたヒートシンクがケース蓋体と共に電子部品から離されることから、電子部品の表面がヒートシンクで覆われることを回避して、電子部品の規格等の表示を容易に確認することが出来る。これにより、電子部品の表示の確認を容易としつつ、電子部品にヒートシンクを取り付けて、電子部品に生じる熱を有効に放熱することが出来る。
【００１２】
なお、本態様におけるケース蓋体は、ケース本体に対してヒンジ機構等によって、一部がケース本体に取り付けられた状態で開閉可能とされていても良いし、或いはケース本体に対して取り外し可能とされていても良い。また、本態様におけるヒートシンクの具体的な形状等についても、何等限定されることはなく、電子部品の表面全体に重ね合わされる大きさをもって形成することも可能であるし、或いは、電子部品の表面の全体を覆うことなく、表面の一部に重なる程度の大きさのものでも良い。
【００１３】
また、本態様における電子部品は、何等限定されるものではなく、例えば、ＣＰＵ（中央処理装置）やＶＤＰ（画像処理用のＬＳＩ）等として用いられる半導体素子やパワートランジスタ等、各種のものが採用可能である。
【００１４】
さらに、本発明における基板収納ケースは、パチンコ機のみならず、各種の遊技機に適用可能である。即ち、本態様における遊技機とは、パチンコ機のみを示すものではなく、スロットマシン等、各種の遊技機を含むものである。
【００１５】
（本発明の態様２）
本発明の態様２は、前記態様１に係る基板収納ケースにおいて、前記ケース蓋体に貫通窓を形成して、該貫通窓を通じて前記ヒートシンクをケース外部空間に晒したことを、特徴とする。本態様に従う構造とされた遊技機用の基板収納ケースにおいては、ヒートシンクの放熱効果を向上せしめることが可能となる。また、基板収納ケースの内部空間が貫通窓を通じて外部空間と連通されることから、基板収納ケース内の熱気を外部に放出することが出来る。なお、かかる貫通窓の具体的な形状や個数等は何等限定されるものではなく、ケース蓋体の複数箇所に形成することも可能である。
【００１６】
（本発明の態様３）
本発明の態様３は、前記態様２に係る基板収納ケースにおいて、前記ヒートシンクが前記貫通窓を通じて前記ケース蓋体からケース外部空間に突出していることを、特徴とする。本態様に従う構造とされた遊技機用の基板収納ケースにおいては、ヒートシンクを外部空間に晒すことによって、ヒートシンクの放熱効果をより効果的に発揮することが出来る。
【００１７】
（本発明の態様４）
本発明の態様４は、前記態様１乃至３の何れかに係る基板収納ケースにおいて、前記ヒートシンクに、前記電子部品に対する重ね合わせ方向に貫通する確認窓部を形成すると共に、前記ケース蓋体の内部を外部から視認可能とする透視窓を該ケース蓋体における該ヒートシンクの取付部位に設けて、該ヒートシンクの該電子部品に対する重ね合わせ状態において、該確認窓部及び該透視窓を通じて、該電子部品の表面の少なくとも一部がケース外部から確認可能とされていることを、特徴とする。
【００１８】
本態様に従う構造とされた遊技機用の基板収納ケースにおいては、ケース蓋体が閉じられて、電子部品にヒートシンクが重ね合わされた状態においても、電子部品に設けられた規格等の表示を収納ケースの外部から確認することが出来る。これにより、基板収納ケースに収納された電子部品を確認する際に、ケース蓋体を開く手間を省くことが出来て、確認作業を容易にすることが出来る。
【００１９】
なお、ケース蓋体に設けられる透視窓の具体的な構造については、何等限定されるものではない。例えば、ケース蓋体におけるヒートシンクが取り付けられる部位を透明の部材によって形成する等しても良いし、或いは、ケース蓋体自体を透明の部材から形成して、ケース蓋体全体を透明とすること等も可能である。また、ケース蓋体を貫通する貫通孔によって透視窓を形成することも可能であり、例えば前記態様２又は３における基板収納ケースにおいては、ケース蓋体に形成された貫通窓を透視窓として有利に用いることが出来る。
【００２０】
（本発明の態様５）
本発明の態様５は、前記態様１乃至４の何れかに係る基板収納ケースにおいて、前記ケース蓋体の少なくとも一部に金属材で形成された熱伝導部を設けて、該熱伝導部に対して前記ヒートシンクを接触せしめたことを、特徴とする。
【００２１】
本態様に従う構造とされた遊技機用の基板収納ケースにおいては、ヒートシンクの表面積を実質的に大きくすることが出来て、より優れた放熱効果を発揮することが出来る。なお、本態様において、ケース蓋体自体を金属材で形成して、ケース蓋全体を熱伝導部とすることも可能である。このような態様によれば、ケース蓋体それ自体をヒートシンクとして用いることが出来て、より優れた放熱効果を発揮することが出来る。
【００２２】
（本発明の態様６）
本発明の態様６は、前記態様１乃至５の何れかに係る基板収納ケースにおいて、前記ケース蓋体に対する前記ヒートシンクの取付位置を、前記電子部品に対する該ヒートシンクの重ね合わせ方向で調節可能とする取付位置調節手段を設けたことを、特徴とする。本態様に従う構造とされた遊技機用の基板収納ケースにおいては、ケース蓋体やヒートシンク等の部品寸法誤差や組付け誤差等によって、ヒートシンクが電子部品に接触しなかったり、或いは過剰な圧力を加えたりすることを防止することが出来る。かかる取付位置調節手段としては、例えば、ケース蓋体におけるヒートシンクの取付箇所を電子部品に対する重ね合わせ方向で複数設けたり、異なる高さ寸法を有するスペーサ部材を複数用意して、ケース蓋体とヒートシンクの間に選択して介在せしめること等によって実現可能である。
【００２３】
（本発明の態様７）
本発明の態様７は、前記態様１乃至６の何れかに係る基板収納ケースにおいて、前記ケース本体に対する前記ケース蓋体の組付位置を、前記電子部品に対する前記ヒートシンクの重ね合わせ方向で調節可能とする組付位置調節手段を設けたことを、特徴とする。本態様に従う構造とされた遊技機用の基板収納ケースにおいては、前述の態様６と同様に、ヒートシンクが電子部品と接触しなかったり、電子部品に対して過剰な圧力を加えたりすることを防止することが出来る。かかる組付位置調節手段としては、例えば、ケース本体に対して、ケース蓋体をゴム製のＯリングやコイルスプリング等を介してネジ止め固定することによって組付け位置を調節可能としたり、ケース本体とケース蓋体との間にスペーサ部材を介在せしめること等によって実現可能である。
【００２４】
（本発明の態様８）
本発明の態様８は、前記態様１乃至７の何れかに係る基板収納ケースにおいて、前記ヒートシンクが、前記電子部品に対して略垂直に立ち上がる複数のフィンを備えていると共に、該フィンには、該フィンの側面に開口する連通孔が貫通して形成されていることを、特徴とする。
【００２５】
本態様に従う構造とされた遊技機用の基板収納ケースにおいては、例えばヒートシンクの上部がケース蓋体に固定されることによって覆蓋されているような場合でも、連通孔によってヒートシンク内方の空間における空気の流動を良好に維持して、より優れた放熱効果を発揮することが出来る。なお、本態様における複数のフィンの具体的な態様は、何等限定されない。例えば、スリット状に配設しても良いし、或いは格子状に配設する等しても良い。
【発明の効果】
【００２６】
上述の説明から明らかなように、本発明に従う構造とされた基板収納ケースにおいては、回路基板に実装された電子部品の規格の表示の確認を容易にしつつ、電子部品にヒートシンクを装着せしめて、電子部品の発熱を有効に低減することが出来る。
【発明を実施するための最良の形態】
【００２７】
以下、本発明を更に具体的に明らかにするために、本発明の実施形態について、図面を参照しつつ、詳細に説明する。
【００２８】
先ず、図１に、遊技機としてのパチンコ機１の背面を示す。パチンコ機１は、一般的なパチンコ機であり、縦長な方形状に枠組み形成される外枠２に対して取り付けられた遊技盤や基枠等の背面に対して、遊技動作を制御する主制御基板を収納する主制御基板収納ケース３、各種の演出を行なうスピーカやランプ等の作動を制御する音・光制御基板を収納する音・光制御基板収納ケース４、外部から電力を得ると共に、各制御基板や駆動装置へ電力を分配して供給する電源ユニット５等が取り付けられている。
【００２９】
そして、これら各制御装置等と共に、パチンコ機１の背面には、本発明の第一の実施形態としての遊技機用の基板収納ケースである図柄表示基板収納ケース１０が取り付けられている。図柄表示基板収納ケース１０は、各種の変動図柄を表示する図柄表示装置の作動を制御する図柄表示基板を収納するようになっている。
【００３０】
より詳細には、図柄表示基板収納ケース１０は、図２に示すように、全体として中空の矩形箱体形状を有しており、パチンコ機１の背面に取り付けられるケース本体としてのベース部材１２と、かかるベース部材１２に組み付けられるケース蓋体としてのカバー部材１４を備えている。そして、ベース部材１２に対して、演出表示用の図柄を表示するための液晶表示板１６や、かかる液晶表示板１６の作動を制御するための回路基板としての図柄表示基板１８等が収容状態で組み付けられることによって、これら液晶表示板１６や図柄表示基板１８等が図柄表示基板収納ケース１０に収納された状態で、パチンコ機１に装着されるようになっている。なお、以下の説明中において、上下方向とは、原則として図２中の上下方向を言うものとする。また、添付する各図面については、何れも、以下に説明するヒートシンク４０やＶＤＰ２６等の形状の理解を容易とするために、その形状や縮尺が誇張して表現されている。
【００３１】
ベース部材１２は、例えば金属材や合成樹脂材から形成された、両側に開口する全体として縦長な枠体形状を有しており、長手方向（図２中左右方向）の両端部の上面には、複数箇所にボルト取付穴２０が形成されている。また、ベース部材１２の内周面における軸方向略中間部分には、内方に突出する固着部２２が形成されている。
【００３２】
そして、ベース部材１２の下側開口部、即ち、パチンコ機１への取り付け状態においてパチンコ機１の表面とされる側には、液晶表示板１６が嵌め入れられて、固着部２２を用いて組み付けられている。更に、かかる液晶表示板１６に対して、可視光線に対して透明な合成樹脂材によって形成された透明板２４が重ね合わされてベース部材１２に固定されており、透明板２４を通して、液晶表示板１６の表示内容が外部から視認可能とされている。なお、液晶表示板１６の固着部２２への組付けは、ビス止めや接着、或いは凹凸嵌合等によって固着部２２に対して直接的に固定しても良いし、或いは、透明板２４等を用いて固着部２２との間で挟持固定する等しても良い。また、本実施形態においては、従来公知の液晶ディスプレイを用いた液晶表示板１６を採用しているが、ＣＲＴやＬＥＤを用いた表示装置等を採用しても良い。
【００３３】
一方、ベース部材１２の上側開口部、即ち、パチンコ機１への取り付け状態においてパチンコ機１の裏面とされる側には、液晶表示板１６の作動を制御する回路基板としての図柄表示基板１８が嵌め入れられて、固着部２２を用いて組み付けられている。図柄表示基板１８は、液晶表示板１６の作動を制御するための電子部品としてのＶＤＰ２６や、コンデンサ（図示せず）等の各種の電子部品が取り付けられたプリント配線板であり、それら各電子部品に対して、プリント配線によって施された導体パターン（図示せず）によって給電が行なわれるようになっている。また、図柄表示基板１８は、図柄表示基板収納ケース１０の外部に露呈された図示しないコネクタを通じて、主制御基板と電気的に接続されることによって、ＶＤＰ２６に対して、主制御基板からの命令が送信されるようになっている。なお、図柄表示基板１８の固着部２２への組付けは、ビス止めや接着、或いは凹凸嵌合等によって固着部２２に対して直接的に固定しても良いし、或いは、カバー部材１４等を用いて固着部２２との間で挟持固定する等しても良い。
【００３４】
かかる図柄表示基板１８に配設されたＶＤＰ２６は、主にパーソナルコンピュータ用に用いられるＶＤＰであって、図３に示すように、その表面には、管理情報２８が表示された情報表示面３０が形成されている。かかる情報表示面３０は、特に本実施形態においては、ＶＤＰ２６の表面に直接に施されたマーキングによって形成されており、パチンコ機の機種名や製造社名、管理者名、パチンコホール名や、電子部品に関する例えば製品番号等の管理情報が文字情報として表示されている。
【００３５】
そして、ベース部材１２の上側開口部に対して、ケース蓋体としてのカバー部材１４が重ね合わされて固定されている。カバー部材１４は、金属材から形成された、一方に開口する開口箱体形状とされている。更に、カバー部材１４の長手方向両端部には、外方に延び出す取付板部３２が形成されており、かかる取付板部３２の複数箇所には、ボルト挿通孔３４が貫設されている。
【００３６】
また、カバー部材１４の上底部には、貫通窓としての視認窓３６が貫設されている。かかる視認窓３６は、図４および図５にも示すように、ＶＤＰ２６の上面視よりも一回り大きな貫通孔とされており、カバー部材１４のベース部材１２への組付け状態において、ＶＤＰ２６に重なり合う部位に形成されている。
【００３７】
さらに、視認窓３６には、板状のフィン３８が複数枚固着されており、これらフィン３８によってヒートシンク４０が構成されている。フィン３８は、金属材から形成された、視認窓３６において対向する一対の内周面間に亘る幅寸法を有すると共に、カバー部材１４の高さ寸法よりもやや大きな高さ寸法を有する板形状とされている。そして、かかるフィン３８の幅方向両端縁部が視認窓３６の内周面に対して接着乃至は溶着等によって固着されることによって、カバー部材１４に固着されており、これによって、フィン３８から構成されたヒートシンク４０がカバー部材１４に対して固定されることとなる。また、フィン３８の上部は、カバー部材１４の上底部から上方に突出するように固着されており、図柄表示基板収納ケース１０の外部空間に突出せしめられるようになっている。なお、添付する図面においては、フィン３８の形状を理解しやすくするために、３枚のフィン３８によってヒートシンク４０を構成しているが、より多数のフィン３８を固着することも勿論可能である。
【００３８】
なお、かかるフィン３８や、前述のカバー部材１４に用いられる金属材としては、高い熱伝導性を有する金属材が好適に採用され、具体的には、鉄や銅、アルミニウムやそれらの合金等が採用され得る。
【００３９】
そして、本実施形態においては、複数のフィン３８が略平行に配設されてヒートシンク４０が構成されていることによって、複数のフィン３８の対向面間が、カバー部材１４のベース部材１２への組付け状態において、ヒートシンク４０のＶＤＰ２６への重ね合わせ方向に貫通せしめられており、かかる対向面によって、確認窓部４１が形成されている。
【００４０】
さらに、フィン３８における適当な複数箇所には、厚さ方向に貫通してフィン３８の側面に貫通する連通孔としての通気孔４２が貫設されている。かかる通気孔４２は、複数のフィン３８において互いに重なり合う略同じ位置に形成されており、ヒートシンク４０を貫通するようにしてヒートシンク４０の側面に開口するようにされている。
【００４１】
このような構造とされたヒートシンク４０が固着されたカバー部材１４は、ベース部材１２の上側開口部に重ね合わされて固定されることとなる。ここにおいて、カバー部材１４における取付板部３２と、ベース部材１２との当接面間には、弾性板部材４４が介在せしめられている。弾性板部材４４は、ゴム弾性体から形成された、上面視においてカバー部材１４の取付板部３２と略等しい大きさを有する板形状とされていると共に、カバー部材１４の取付板部３２に形成されたボルト挿通孔３４と重なり合う部位には、ボルト挿通孔３４と略等しい径寸法をもって厚さ方向に貫通するボルト連通孔４６が形成されている。
【００４２】
そして、このような構造とされた弾性板部材４４を介在せしめた状態で、カバー部材１４の取付板部３２が、ベース部材１２に重ね合わされている。ここにおいて、カバー部材１４のボルト挿通孔３４、弾性板部材４４のボルト連通孔４６、およびベース部材１２のボルト取付穴２０が重なり合うように位置合わせされると共に、ボルト４８がボルト挿通孔３４、ボルト連通孔４６に挿通されてボルト取付穴２０に取り付けられることによって、カバー部材１４がベース部材１２に対して固定されているのである。
【００４３】
このような組付け状態において、カバー部材１４に固着されたフィン３８の下端面が、図柄表示基板１８に配設されたＶＤＰ２６の上面に当接せしめられている。特に本実施形態においては、弾性板部材４４の弾性変形によって、カバー部材１４のベース部材１２に対する位置が多少変化しても、ボルト４８の締付力が安定してカバー部材１４に及ぼされるようにされている。これにより、ボルト４８の締付量を調節することによってカバー部材１４のベース部材１２に対する組付け位置が、ヒートシンク４０のＶＤＰ２６に対する重ね合わせ方向で調節可能とされているのである。このことから明らかなように、本実施形態においては、弾性板部材４４、ボルト４８を含んで組付位置調節手段が構成されている。
【００４４】
上述の如き構造とされた図柄表示基板収納ケース１０は、パチンコ機１の裏面に取り付けられると共に、内部に収容された図柄制御基板１８に対して主制御基板や電源ユニット等が電気的に接続されることによって、液晶表示板１６に各種の演出表示を行なうようにされている。
【００４５】
ここにおいて、本実施形態の図柄表示基板収納ケース１０においては、ＶＤＰ２６の上面にヒートシンク４０が重ね合わされていることから、ＶＤＰ２６に生じる熱をヒートシンク４０に伝達して、効果的に放熱を行なうことが出来る。これにより、ファンや水冷機構等を設ける場合に比して、より高い信頼性をもって、より簡易な構造で効果的な放熱を行なうことが可能となり、熱によるＶＤＰ２６の誤作動や、ＶＤＰ２６の周囲の部材の劣化を促進するおそれを軽減することが出来る。
【００４６】
さらに、本実施形態においては、以下に示す多くの特定構造を採用したことによって、より優れた放熱効果を発揮することが可能とされているのである。先ず、ヒートシンク４０の上部がカバー部材１４に形成された視認窓３６を通じて外部に突出せしめられていることから、ヒートシンク４０に伝達された熱を効率的に外部空間に放熱することが出来る。更に、ヒートシンク４０が固着されたカバー部材１４それ自体が金属材によって形成されていることから、カバー部材１４自体が熱伝導部とされており、ヒートシンク４０に伝達された熱を更にカバー部材１４の略全体に伝達することが出来る。加えて、カバー部材１４に貫設された視認窓３６によって、図柄表示基板収納ケース１０の内部空間と外部空間が連通せしめられていることから、ＶＤＰ２６の発熱によって熱せられた空気がケース内部に滞留するようなことも回避することが出来る。なお、このことから明らかなように、本実施形態においては、かかる視認窓３６によって、ヒートシンク４０を外部空間に晒す貫通窓が形成されている。更にまた、ヒートシンク４０には、厚さ方向に貫通する通気孔４２が形成されていることから、フィン３８の対向面間の領域において、熱せられた空気が滞留するようなことも回避されているのである。
【００４７】
そして、本実施形態においては、図４に示すように、ヒートシンク４０において、ＶＤＰ２６への重ね合わせ方向に貫通する確認窓部４１が形成されていることから、ヒートシンク４０をＶＤＰ２６に重ね合わせた状態においても、確認窓部４１を通じて、ＶＤＰ２６の管理情報２８をケース外部から確認することが可能とされている。このことから明らかなように、本実施形態においては、カバー部材１４に貫設された視認窓３６が、図柄表示基板収納ケース１０の内部空間を外部から視認可能とする透視窓とされている。これにより、図柄表示基板収納ケース１０の内部に収容されて、ヒートシンク４０が重ね合わされたＶＤＰ２６の管理情報２８を、カバー部材１４を取り外すことなしに外部から容易に確認することが可能とされている。
【００４８】
さらに、本実施形態においては、ヒートシンク４０がカバー部材１４に固着されていることから、カバー部材１４をベース部材１２から取り外した場合には、ＶＤＰ２６の上面に重ね合わされたヒートシンク４０がＶＤＰ２６から離されて、ＶＤＰ２６の情報表示面３０が外部に露呈されるようになっており、ＶＤＰ２６の管理情報２８をより容易に確認することが出来る。
【００４９】
また、カバー部材１４とベース部材１２の間には、弾性板部材４４が介在せしめられていることから、ボルト４８の締付量を調節することによって、カバー部材１４のベース部材１２に対する組付け位置が調節可能とされている。これによって、ＶＤＰ２６に対するヒートシンク４０の位置を重ね合わせ方向で調節することが可能とされており、ヒートシンク４０がＶＤＰ２６に接触しなかったり、或いはＶＤＰ２６に対して過剰な圧力を加えたりすることを防止することが出来るのである。
【００５０】
次に、本発明の異なる態様として、第二の実施形態としての図柄表示基板収納ケース５０におけるヒートシンク５２の取り付け部位の拡大断面図を図６に示す。なお、以下の説明において、前述の第一の実施形態と略同様の構造とされた部材および部位には、図中に、第一の実施形態における図柄表示基板収納ケース１０と同一の符号を付することにより、詳細な説明を省略する。
【００５１】
本実施形態におけるカバー部材５４の上底部において、ＶＤＰ２６と重なり合う部位には、ＶＤＰ２６の正面視と略同じ大きさをもって厚さ方向に貫通する視認窓５６が形成されている。更に、視認窓５６において対向する一対の対向面には、上方に向かって突出する一対の案内壁５８ａ，５８ｂが形成されており、かかる案内壁５８ａ，５８ｂには、それぞれ、厚さ方向（図６中左右方向）に貫通して、上下方向に所定の寸法に亘って延びるスリット６０ａ，６０ｂが形成されている。
【００５２】
そして、視認窓５６には、ヒートシンク５２が挿通されて、上下方向に位置調節可能に取り付けられている。ヒートシンク５２は、図６および図７に示すように、金属材から形成された略立方体形状とされており、カバー部材５４への取り付け状態において、ＶＤＰ２６への重ね合わせ方向（図６中上下方向）に貫通する確認窓部６２が複数形成されている。確認窓部６２は、ヒートシンク５２の上面視において矩形状をもって形成されており、かかる確認窓部６２が複数形成されることによって、ヒートシンク５２は、恰も格子状に配設された複数のスリットの四方が周壁に囲まれたような形状とされている。
【００５３】
さらに、ヒートシンク５２において対向位置する一対の外周面上の上部には、外方に向かって突出する一対の案内突部６４ａ，６４ｂが形成されている。かかる案内突部６４ａ，６４ｂは、カバー部材５４に形成されたスリット６０ａ，６０ｂの幅寸法よりも僅かに小さな径寸法をもって、案内壁５８ａ，５８ｂの厚さ寸法と略等しい突出寸法を有する略円柱形状の突部とされている。更に、一方の案内突部６４ａには、案内突部６４ａの軸方向（ヒートシンク５２の軸直角方向）に延びる位置決めボルト取付穴６６が形成されている。
【００５４】
そして、このような構造とされたヒートシンク５２が、視認窓５６に挿通されると共に、ヒートシンク５２の案内突部６４ａ，６４ｂが、それぞれカバー部材５４に形成されたスリット６０ａ，６０ｂに挿し込まれている。これにより、スリット６０ａ，６０ｂによって案内突部６４ａ，６４ｂが案内されて、ヒートシンク５４がＶＤＰ２６に対する重ね合わせ方向において相対変位可能とされている。そして、案内突部６４ａの位置決めボルト取付穴６６に対して、スリット６０ａの幅寸法よりも大きな外径寸法を有する位置決めボルト６８が取り付けられており、位置決めボルト６８を締め付けて、位置決めボルト６８の外周縁部が案内壁５８ａの外面に係止されることによって、ヒートシンク５２をカバー部材５４に対して位置決め固定することが可能とされている。
【００５５】
すなわち、本実施形態においては、ヒートシンク５２のカバー部材５４に対する取付位置を、ＶＤＰ２６に対する重ね合わせ方向で調節可能とされており、これら案内壁５８ａ，５８ｂ、案内突部６４ａ，６４ｂおよび位置決めボルト６８を含んで、取付位置調節手段が構成されている。これにより、ヒートシンク５２がＶＤＰ２６に接触しなかったり、或いは、ＶＤＰ２６に過剰な圧力を加えることを防止することが出来る。なお、かかる取付位置調節手段は、前述の第一の実施形態における組付位置調節手段に代えて用いても良いし、組付位置調節手段に加えて用いても良い。
【００５６】
さらに、本実施形態におけるヒートシンク５２においても、ＶＤＰ２６の重ね合わせ方向に貫通する確認窓部６２が形成されている。これにより、カバー部材５４が組み付けられて、ヒートシンク５２がＶＤＰ２６に重ね合わされた状態においても、ＶＤＰ２６の表面に表示された管理情報２８を図柄表示基板収納ケース５０の外部から確認することが出来る。
【００５７】
次に、図８に、本発明の第三の実施形態としての図柄表示基板収納ケース７０におけるヒートシンク７２の取り付け部位の拡大断面図を示す。本実施形態におけるカバー部材７４は、前述の第一の実施形態におけるカバー部材１４と略同様の構造とされており、その上底部におけるＶＤＰ２６と重なり合う部位には、可視光線に対して透明な合成樹脂材によって形成されて、ＶＤＰ２６の正面視よりもやや大きな寸法を有する板形状とされた窓板７６が接着乃至は溶着等によって取り付けられている。そして、かかる窓板７６に対して、前述の第一の実施形態と略同様の構造とされた、金属材から形成された板形状を有する複数枚のフィン３８の上端縁部が接着乃至は溶着等によって固着されており、これら複数枚のフィン３８によって、ヒートシンク７２が構成されている。また、本実施形態におけるヒートシンク７２においても、フィン３８の対向面間において、ヒートシンク７２のＶＤＰ２６に対する重ね合わせ方向に貫通する確認窓部４１が形成されている。
【００５８】
このような構造とされた図柄表示基板収納ケース７０においても、ＶＤＰ２６と重なり合う部位に透明な窓板７６が設けられていることによって、ケースの外部からケースの内部を視認することが可能とされている。それと共に、窓板７６に固着されたヒートシンク７２に確認窓部４１が形成されていることによって、カバー部材７４が組付けられて、ＶＤＰ２６にヒートシンク７２が重ね合わされた状態においても、窓板７６および確認窓部４１を通じて、ＶＤＰ２６の表面に表示された管理情報２８をケース外部から容易に確認することが出来るのである。更に、本実施形態におけるカバー部材７４においては、窓板７６によってＶＤＰ２６の上方が覆蓋されていることから、ケース内部に粉塵が進入するようなことも防止することが出来る。
【００５９】
また、このような構造とされたカバー部材７４に固着されるヒートシンクの具体的な形状としても、各種の形状を採用することが可能である。例えば、図９に示す第四の実施形態としての図柄表示基板収納ケース８０のように、前述のヒートシンク５２と略同様の形状とされたヒートシンク８２を採用すること等も可能である。ヒートシンク８２は、上面視において複数のスリットが格子状に配設されて、その四方が周壁に囲まれた形状とされており、各スリットの対向面間には、上面視において矩形状を有し、ＶＤＰ２６への重ね合わせ方向（図９中上下方向）に貫通する確認窓６２が形成されている。更に、ヒートシンク８２には、ヒートシンク８２の軸直角方向に延びて、側面に開口する通気孔４２が適宜の位置に複数形成されている。
【００６０】
このような構造とされたヒートシンク８２の上端面が、カバー部材７４に設けられた窓部７６の下端面に対して接着乃至は溶着等によって固着されている。このような態様においても、窓部７６およびヒートシンク８２の確認窓６２を通じて、ＶＤＰ２６の表面に表示された管理情報２８をケース外部から容易に確認することが出来る。そして、かかる格子形状を有するヒートシンク８２においては、各確認窓６２の上下方向両端部がそれぞれ窓部７６およびＶＤＰ２６によって覆蓋されることによって、略密閉の空間とされるおそれがあるが、本実施形態においては、通気孔４２が形成されていることによって、各確認窓６２の内部空間がヒートシンク８２の外部空間と連通せしめられている。これにより、ヒートシンク８２の内部に高温状態の空気が篭るようなことも有効に回避することが出来る。
【００６１】
以上、本発明の幾つかの実施形態について詳述してきたが、これらはあくまでも例示であって、本発明は、かかる実施形態における具体的な記載によって、何等、限定的に解釈されるものではない。
【００６２】
例えば、本実施形態におけるヒートシンクの具体的な形状は、何等限定されることはない。従って、前述の第一の実施形態における複数のフィンを一列に並設した形状や、第二の実施形態における複数のフィンを格子状に配設したものに限定されることはなく、例えば図１０に示すように、金属材によって形成された、上面視において複数箇所で屈曲せしめられた略渦巻形状を有するフィン９０を有するヒートシンク９２等も採用可能であるし、更には、板状のフィンのみならず、多数の針状の放熱部材からなる剣山状のヒートシンクなどを用いることも勿論可能である。
【００６３】
また、上述の各実施形態におけるヒートシンクは、ＶＤＰへの重ね合わせ方向に直交する方向に広がり、フィンを固定する土台となるベース部材を備えていないことから、互いのフィンの対向面によって形成された領域がベース部材で遮られることなくヒートシンクを貫通するように形成されており、かかる対向面間の領域が確認窓部とされていたが、例えば従来構造の如きベース部材の上に複数のフィンが設けられたヒートシンクにおいても、ベース部材においてフィンが設けられていない部位に、スリット状の貫通孔を形成することなどによって、ヒートシンクを貫通する確認窓部を形成することが可能である。
【００６４】
さらに、ケース蓋体に対するヒートシンクの取付位置を調節する取付位置調節手段や、ケース本体に対するケース蓋体の組付け位置を調節する組付位置調節手段の具体的態様についても、何等限定されない。例えば前述の第一の実施形態において組付位置調節手段を構成する弾性板部材４４の代わりに、コイルスプリングや板ばねなどを採用することも可能である。
【００６５】
更にまた、前述の第一の実施形態におけるカバー部材１４は、それ自体が金属材で形成されることによって、カバー部材１４の全体が熱伝導部とされていたが、熱伝導率の低い合成樹脂材料によってカバー部材を形成して、かかるカバー部材に金属材からなる板材等を固着することによって熱伝導部を形成することも勿論可能である。
【００６６】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６７】
【図１】本発明に従う構造とされた基板収納ケースが取り付けられるパチンコ機の背面図である。
【図２】本発明の第一の実施形態としての基板収納ケースを示す縦断面モデル図である。
【図３】電子部品としてのＶＤＰを示す正面モデル図である。
【図４】図３に示すＶＤＰにヒートシンクを重ね合わせた状態を示す上面モデル図である。
【図５】図２に示した基板収納ケースの要部拡大断面モデル図である。
【図６】本発明の第二の実施形態としての基板収納ケースの要部拡大断面モデル図である。
【図７】図６に示した基板収納ケースに固着されるヒートシンクの上面モデル図である。
【図８】本発明の第三の実施形態としての基板収納ケースの要部拡大断面モデル図である。
【図９】本発明の第四の実施形態としての基板収納ケースの要部拡大断面モデル図である。
【図１０】ヒートシンクの更に異なる形状を示す上面モデル図である。
【符号の説明】
【００６８】
１  パチンコ機
３  主制御基板収納ケース
４  音・光制御基板収納ケース
５  電源ユニット
１０  図柄表示基板収納ケース
１２  ベース部材
１４  カバー部材
１６  液晶表示板
１８  図柄表示基板
２６  ＶＤＰ
２８  管理情報
３０  情報表示面
３８  フィン
４０  ヒートシンク
５８ａ、ｂ  案内壁
６０ａ、ｂ  スリット
６４ａ、ｂ  案内突部
【図１】
2006181106.tif 000003
【図２】
2006181106.tif 000004
【図３】
2006181106.tif 000005
【図４】
2006181106.tif 000006
【図５】
2006181106.tif 000007
【図６】
2006181106.tif 000008
【図７】
2006181106.tif 000009
【図８】
2006181106.tif 000010
【図９】
2006181106.tif 000011
【図１０】
2006181106.tif 000012